(57)【要約】　【課題】　２ＴＦＴと４ＴＦＴで構成された薄膜トランジスタの駆動ユニットと、これとは独立的に構成されたダミー駆動ユニットをさらに構成する。　このようにすれば、駆動ユニットに欠陥が発生してもこれを替えることができるために、素子の不良による処分を防ぐことができて、製品の収率を改善できる。【解決手段】　本発明は有機電界発光素子に係り、特に有機電界発光素子の薄膜トランジスタアレイ部に関する。　本発明による有機電界発光素子は、スイッチング素子と駆動素子で構成された駆動ユニットを少なくとももう一つ（ダミー駆動ユニット）製作して、駆動ユニットに欠陥が発生した場合に、これを代わってダミー駆動ユニットを作動させるようにする。　このようにすれば、有機電界発光素子で発生する点欠陥を防止できるために製品の収率を改善できる。【選択図】　図４
2004038188.tif 000002
【特許請求の範囲】
【請求項１】
　基板上で相互に交差して画素部を定義するゲート配線及びデータ配線と；
　前記画素部に配置して第１スイッチング素子と第１駆動素子で構成される第１駆動ユニットと；
　前記第１駆動素子に電流信号を供給する電源配線と；
　前記第１駆動素子と連結していて、前記第１駆動ユニットがなんの異常も無く作動する時に前記第１駆動素子から電流信号の供給を受ける有機発光部と；
　前記画素部に配置して第２スイッチング素子と第２駆動素子で構成された第２駆動ユニットと；を備えてなり、
　前記第２駆動ユニットはダミー的である性格を帯びていて、前記第１駆動ユニットに異常がある場合に前記電源配線から前記有機発光部に電流信号を印加し、
　前記第１駆動ユニットの前記第１スイッチング素子は、前記ゲート配線に連結したゲート端子と、前記データ配線に連結したソース端子と、前記第１駆動素子のゲート端子に連結したドレイン端子とを含んでおり、
　前記第１駆動素子は、前記第１スイッチング素子のドレイン端子に連結したゲート端子と、電源配線に連結したソース端子と、前記有機発光部に連結したドレイン端子とを含んでおり、
　前記第２スイッチング素子は、前記ゲート配線に連結したゲート端子と、前記データ配線に連結したソース端子と、前記第２駆動素子のゲート端子に連結したドレイン端子を含んでおり、そして
　前記第２駆動素子は、前記第２スイッチング素子のドレイン端子に連結したゲート端子と、前記電源配線に連結したソース端子と、前記有機発光部に連結したドレイン端子とを含むことを特徴とする有機電界発光素子。
【請求項２】
　前記第１駆動素子と並列に連結した第１ストレージキャパシターと、前記第２駆動素子と並列に連結した第２ストレージキャパシターとがさらに構成されたことを特徴とする請求項１に記載の有機電界発光素子。
【請求項３】
　前記第１ストレージキャパシターは、前記第１駆動素子のゲート端子と前記第１駆動素子のソース端子との間に形成されることを特徴とする請求項１に記載の有機電界発光素子。
【請求項４】
　前記第１ストレージキャパシターは、前記第１駆動素子のゲート端子と前記電源配線とを含むことを特徴とする請求項３に記載の有機電界発光素子。
【請求項５】
　前記第２ストレージキャパシターは、前記第２駆動素子のゲート端子と前記第２駆動素子のソース端子との間に形成されることを特徴とする請求項２に記載の有機電界発光素子。
【請求項６】
　前記第２ストレージキャパシターは、前記第２駆動素子のゲート端子と前記電源配線とを含むことを特徴とする請求項５に記載の有機電界発光素子。
【請求項７】
　前記電源配線と前記第２駆動素子のソース端子との間には断線されたオープン部が形成されており、
　前記オープン部は、有機電界発光素子製造工程の初期段階で前記電源配線と前記第２駆動素子を電気的に分離させるが、前記第１駆動ユニットに欠陥が発生したり異常がある場合に熔接されて、前記電源配線と前記第２駆動素子を電気的に連結することを特徴とする請求項１に記載の有機電界発光素子。
【請求項８】
　前記オープン部が熔接される場合に、前記第１駆動素子のゲート端子と前記電源配線は分離されて、前記ダミー的性格の第２駆動ユニットを作動させることを特徴とする請求項７に記載の有機電界発光素子。
【請求項９】
　前記有機発光部は、陽極電極と陰極電極間に有機発光層が構成されたことを特徴とする請求項１に記載の有機電界発光素子。
【請求項１０】
　前記陽極電極は透明であって、前記有機発光層は透明な陽極電極から正孔伝達層、発光層、電子伝達層の順に順次的に形成されたことを特徴とする請求項９に記載の有機電界発光素子。
【請求項１１】
　基板上で相互に交差して画素部を定義するゲート配線及びデータ配線と；
　前記画素部に配置して第１スイッチング素子及び第２スイッチング素子と第１駆動素子及び第２駆動素子とで構成される第１駆動ユニットと；
　前記第１駆動素子に電流信号を供給する電源配線と；
　前記第１駆動素子と連結していて、前記第１駆動ユニットがなんの異常も無く作動する時に前記第１駆動素子から電流信号の供給を受ける有機発光部と；
　前記画素部に配置して第３スイッチング素子及び第４スイッチング素子と第３駆動素子及び第４駆動素子とで構成された第２駆動ユニットと；を備えてなり、
　前記第２駆動ユニットはダミー的な性格を帯びていて、前記第１駆動ユニットに異常がある場合に前記電源配線から前記有機発光部に電流信号を印加し、
　前記第１駆動ユニットの前記第１スイッチング素子は、前記ゲート配線に連結したゲート端子と、前記データ配線に連結したソース端子と、前記第２スイッチング素子のソース端子に連結したドレイン端子とを含んでおり、
　前記第２スイッチング素子は、前記ゲート配線に連結したゲート端子と、前記第１スイッチング素子のドレイン端子に連結したソース端子と、前記第１駆動素子及び第２駆動素子のゲート端子に連結したドレイン端子とを含んでおり、
　前記第１駆動素子は、前記第２スイッチング素子のソース端子に連結したゲート端子と、前記電源配線に連結したソース端子と、前記有機発光部に連結したドレイン端子とを含んでおり、
　前記第２駆動素子は、前記第２スイッチング素子のドレイン端子に連結したゲート端子と、前記電源配線に連結したソース端子と、前記第１スイッチング素子のドレイン端子及び 第２スイッチング素子のソース端子に連結したドレイン端子とを含んでおり、
　前記第３スイッチング素子は、前記ゲート配線に連結したゲート端子と、前記データ配線に連結したソース端子と、前記第４駆動素子のソース端子に連結したドレイン端子とを含んでおり、
　前記第４スイッチング素子は、前記ゲート配線に連結したゲート端子と、前記第３スイッチング素子のドレイン端子に連結したソース端子と、前記第３駆動素子及び第４駆動素子のゲート端子に連結したドレイン端子とを含んでおり、
　さらに、前記第３駆動素子は、前記第４スイッチング素子のソース端子に連結したゲート端子と、前記電源配線に連結したソース端子と、前記有機発光部に連結したドレイン端子とを含んでおり、そして、
　前記第４駆動素子は、前記第４スイッチング素子のドレイン端子に連結したゲート端子と、前記電源配線に連結したソース端子と、前記第３スイッチング素子のドレイン端子及び第４スイッチング素子のソース端子に連結したドレイン端子とを含むことを特徴とする有機電界発光素子。
【請求項１２】
　前記第１駆動素子及び第２駆動素子と並列に連結した第１ストレージキャパシターと、前記第３駆動素子及び第４駆動素子と並列に連結した第２ストレージキャパシターがさらに構成されたことを特徴とする請求項１１に記載の有機電界発光素子。
【請求項１３】
　前記第１ストレージキャパシターは、前記第１駆動素子及び第２駆動素子のゲート端子と、前記第１駆動素子及び第２駆動素子のソース端子との間に形成されることを特徴とする請求項１２に記載の有機電界発光素子。
【請求項１４】
　前記第１ストレージキャパシターは、前記第１駆動素子及び第２駆動素子のゲート端子と前記電源配線とを含むことを特徴とする請求項１３に記載の有機電界発光素子。
【請求項１５】
　前記第２ストレージキャパシターは、前記第３駆動素子及び第４駆動素子のゲート端子と、前記第３駆動素子及び第４駆動素子のソース端子との間に形成されることを特徴とする請求項１２に記載の有機電界発光素子。
【請求項１６】
　前記第２ストレージキャパシターは、前記第３駆動素子及び第４駆動素子のゲート端子と前記電源配線とを含むことを特徴とする請求項１５に記載の有機電界発光素子。
【請求項１７】
　前記第１スイッチング素子のドレイン端子と第２スイッチング素子のソース端子とは、一体型で形成されたことを特徴とする請求項１１に記載の有機電界発光素子。
【請求項１８】
　前記第１駆動素子及び第２駆動素子のゲート端子は、一体型で形成されたことを特徴とする請求項１１に記載の有機電界発光素子。
【請求項１９】
　前記第３スイッチング素子のドレイン端子と前記第４スイッチング素子のソース端子とは、一体型で形成されたことを特徴とする請求項１１に記載の有機電界発光素子。
【請求項２０】
　前記第３駆動素子及び第４駆動素子のゲート端子は、一体型で形成されたことを特徴とする請求項１１に記載の有機電界発光素子。
【請求項２１】
　前記電源配線と前記第３駆動素子のソース端子との間には断線された第１オープン部が形成されており、
　前記データ配線と前記第３スイッチング素子のソース端子間には断線された第１オープン部を持っており、
　前記第１オープン部は、有機電界発光素子製造工程の初期段階で前記第３駆動素子を電源配線から電気的に分離させるが、前記第１駆動ユニットに欠陥が発生したり異常がある場合熔接されて、前記電源配線と前記第３駆動素子を電気的に連結させ、
　前記第２オープン部は、有機電界発光素子製造工程の初期段階で前記第３スイッチング素子をデータ配線から電気的に分離させるが、前記第１駆動ユニットに欠陥が発生したり異常がある場合熔接されて、前記データ配線と前記第３スイッチング素子を電気的に連結させることを特徴とする請求項１１に記載の有機電界発光素子。
【請求項２２】
　前記第１オープン部及び第２オープン部が熔接される場合に、前記第１駆動素子のソース端子と前記データ配線は分離されて、前記ダミー的性格の第２駆動ユニットを作動させることを特徴とする請求項２０に記載の有機電界発光素子。
【請求項２３】
　前記有機発光部は、陽極電極と陰極電極間に有機発光層が構成されたことを特徴とする請求項１１に記載の有機電界発光素子。
【請求項２４】
　前記陽極電極は透明であって、前記有機発光層は透明な陽極電極から正孔伝達層、発光層、電子伝達層の順に順次的に形成されたことを特徴とする請求項２３に記載の有機電界発光素子。
【発明の詳細な説明】
【技術分野】
【０００１】
　本発明は有機電界発光素子に係り特に、スイッチング素子と駆動素子で構成された駆動ユニットの不良による点欠陥を防止するための、有機電界発光素子の薄膜トランジスタアレイ部に関する。
【背景技術】
【０００２】
　一般的に、有機電界発光素子は、電子（ｅｌｅｃｔｒｏｎ）注入電極（ｃａｔｈｏｄｅ）と正孔（ｈｏｌｅ）注入電極（ａｎｏｄｅ）から各々電子（ｅｌｅｃｔｒｏｎ）と正孔（ｈｏｌｅ）を発光層内部に注入させて、注入された電子（ｅｌｅｃｔｒｏｎ）と正孔（ｈｏｌｅ）が結合した励起子（ｅｘｃｉｔｏｎ）が励起状態から基底状態に落ちる時に発光する素子である。
【０００３】
　このような原理によって、従来の薄膜液晶表示素子とは違って別途の光源を必要としないので、素子の体積と重さを減らすことができる長所がある。
【０００４】
　また、有機電界発光素子は、高品位パネル特性（低電力、高輝度、高反応速度、低重量）を示す。このような特性のために有機電界発光素子は、移動通信端末機、ＣＨＳ、ＰＤＡ、キャムコーダ（Ｃａｍｃｏｒｄｅｒ）、パーム（Ｐａｌｍ）ＰＣ等大部分のコンシューマー（ｃｏｎｓｕｍｅｒ）電子応用製品に用いることができる強力な次世代ディスプレーとみなされている。
【０００５】
　また、製造工程が単純なために、生産原価を既存のＬＣＤより多く減らすことができる長所がある。
【０００６】
　このような有機電界発光素子を駆動する方式は、パッシブマトリクス型とアクティブマトリクス型に分けられる。
【０００７】
　前記パッシブマトリクス型有機電界発光素子は、その構成が単純で製造方法も単純であるが、高い消費電力と表示素子の大面積化に難しさがあり、配線の数が増加すればするほど開口率が低下する短所がある。
【０００８】
　反面、アクティブマトリクス型有機電界発光素子は、高い発光効率と高画質を提供できる長所がある。
【０００９】
　図１は、一般的なアクティブマトリクス型有機電界発光素子の構成を概略的に示した図面である。
【００１０】
　図示したように、有機電界発光素子１０は、透明で柔軟性がある第１基板１２の上部に薄膜トランジスタＴのアレイ部１４を形成し、前記アレイ部１４の上部に第１電極（陽極電極：ａｎｏｄｅ　ｅｌｅｃｔｒｏｄｅ）１６と有機発光層１８と第２電極（陰極電極：ｃａｔｈｏｄｅ　ｅｌｅｃｔｒｏｄｅ）２０を形成する。
【００１１】
　この時、前記発光層１８は、様々な方法で赤（Ｒ）、緑（Ｇ）、青（Ｂ）のカラーを表現するが、一般的な方法としては、各画素（Ｐ）ごとに赤、緑、青色を発光する別途の有機物質をパターニングして用いる。
【００１２】
　前記第１基板１２は、吸湿剤２２が付着された第２基板２８とシーラント２６を通じて合着されて有機電界発光素子１０が完成される。
【００１３】
　この時、前記吸湿剤２２は、カプセル内部に浸透することがある水分を除去するためのものであり、基板２８の一部をエッチングしてエッチングされた部分に粉末形態の吸湿剤２２を置いて、テープ２５を付着することで吸湿剤２２を固定する。
【００１４】
　前述したような有機電界発光素子の一画素に対する構成を以下、図２の等価回路図を参照しながら詳細に説明する。
【００１５】
　図２は、従来の有機電界発光素子の一画素に該当する等価回路図である。
　図示したように、基板１２の一方向にゲート配線３０と、これとは垂直に交差するデータ配線３２とが構成される。
【００１６】
　前記データ配線３２とゲート配線３０の交差地点にはスイッチング素子ＴＳが構成されて、さらに前記スイッチング素子ＴＳと電気的に連結した駆動素子ＴＤが構成される。
【００１７】
　前記駆動素子ＴＤは、有機発光部Ｅと電気的に接触するように構成する。
　前述した構成において、前記駆動素子ＴＤのゲート端子４０とソース端子４２間にストレージキャパシターＣＳＴが構成される。
【００１８】
　前記発光部Ｅは、前記駆動素子ＴＤのドレイン端子４６と接触する第１電極と、有機発光層と、有機発光層の上部に構成された第２電極とで構成される。
【００１９】
　前述したように構成された有機電界発光素子の動作特性を、以下簡略に説明する。
　まず、前記スイッチング素子ＴＳのゲート端子３６にゲート配線３０からゲート信号が印加されると、前記データ配線３２を流れる電流信号は前記スイッチング素子ＴＳを通じて電圧信号に変わって駆動素子ＴＤのゲート端子４０に印加される。
【００２０】
　この時、前記駆動素子ＴＤが作動して前記発光部Ｅに流れる電流のレベルが決められて、これによって有機発光層Ｅはグレースケール（ｇｒｅｙ　ｓｃａｌｅ）を具現できるようになる。
【００２１】
　この時、前記ストレージキャパシターＣＳＴに貯蔵された信号は、前記ゲート端子４０の信号を維持する役割をするために、前記スイッチング素子ＴＳがオフ状態になっても、次の信号が印加される時まで前記発光部Ｅに流れる電流のレベルを一定に維持できる。
【００２２】
　前述したように作動する有機電界発光素子は、場合によって前記駆動素子とスイッチング素子を複数個構成して形成するが、その代表的な例が４ＴＦＴ構造である。
【００２３】
　すなわち、２個のスイッチング素子を並列に連結して、これに連結した２個の駆動素子を並列に連結して構成するものである。
【００２４】
　このようにすれば、前記スイッチング素子ＴＳは、ＤＣバイアスが持続的に印加されて発生するストレス（ｓｔｒｅｓｓ）の程度を減らすことができる。
【００２５】
　すなわち、ＤＣバイアスによるストレス強度は従来と同一であるが、２個のスイッチング素子に各々分散されるためにストレスの強度は弱まる。
【００２６】
　また、前記駆動素子ＴＤは、電流によるストレス加重現象で薄膜トランジスタの劣化が発生して動作特性の変化が激しくなるが、これも２個の駆動素子を並列に 連結することによって、これを弱化させて薄膜トランジスタの寿命を延長できる長所がある。
【００２７】
以下、図３を参照して４ＴＦＴを有する有機電界発光素子の構成を説明する。
　図３は、従来の第２例による有機電界発光素子の一画素を示す等価回路図である。
【００２８】
　図示したように、基板５０の一方向にゲート配線５２と、これとは垂直に交差するデータ配線５４とが構成される。
【００２９】
　前記データ配線５４とゲート配線５２の交差地点には、並列に連結した第１スイッチング素子ＴＳ１と第２スイッチング素子ＴＳ２が構成されており、さらに前記第１スイッチング素子ＴＳ１及び第２スイッチング素子ＴＳ２と電気的に連結した第１駆動素子ＴＤ１と第２駆動素子ＴＤ２が構成される。
【００３０】
　さらに詳細に説明すれば、前記第１スイッチング素子ＴＳ１と第２スイッチング素子ＴＳ２のゲート端子５８、６４は、同時に前記ゲート配線５２に連結しており、第１スイッチング素子ＴＳ１のドレイン端子６２と第２スイッチング素子ＴＳ２のソース端子６６は一体に連結される。
【００３１】
　前記第１駆動素子ＴＤ１及び第２駆動素子ＴＤ２のゲート端子７０、７１は一体に連結され、これは前記第２スイッチング素子ＴＳ２とドレイン端子６７と連結する。
【００３２】
　この時、前記第２駆動素子ＴＤ２のドレイン端子７２は、前記第１スイッチング素子ＴＳ１及び第２スイッチング素子ＴＳ２の一体化したソース端子６２及びドレイン端子６６と連結する。
【００３３】
　前記第１駆動素子ＴＤ１と第２駆動素子ＴＤ２のソース端子７４、７６は、電源配線５６と一体に連結する。この時、前記第１駆動素子ＴＤ１及び第２駆動素子ＴＤ２のゲート端子７０、７１とそれぞれのソース端子７４、７６間にストレージキャパシターＣＳＴが構成される。
【００３４】
　前記第１駆動素子ＴＤ１のドレイン端子７８は、前記有機発光部Ｅと連結する。
　前記４ＴＦＴの作動は、先に説明した２ＴＦＴの作動と同一であるが、ただし並列に連結した素子に信号が分けられて印加される点だけが異なる。すなわち、データ配線５４から入力された信号は、前記第１スイッチング素子ＴＳ１及び第２スイッチング素子ＴＳ２に分けられて流れると、前記第１スイッチング素子ＴＳ１及び第２スイッチング素子ＴＳ２は同時に前記第１駆動素子ＴＤ１及び第２駆動素子ＴＤ２を駆動して、続いて前記電源配線５６から信号（電流成分）が前記第１駆動素子ＴＤ１を通じて前記有機発光部Ｅに流れて、発光部は光を発光する。
　前述したように４ＴＦＴ構造の有機電界発光素子を構成できる。
【発明の開示】
【発明が解決しようとする課題】
【００３５】
　しかし、従来の２ＴＦＴ構造または４ＴＦＴ構造を有する有機電界発光素子において最も多く発生する不良は点欠陥である。
【００３６】
　点欠陥の主要原因は、副画素内に配置された前記薄膜トランジスタの作動不良に起因することが最も多い。有機発光素子自体が１０００Å程度と薄いために発生するダークスポット（ｄａｒｋ　ｓｐｏｔ）等も深化すれば点欠陥となる可能性があるがこれによって発生するものよりも、副画素内に配置するスイッチングトランジスタや駆動用薄膜トランジスタの作動不良によるものが多い。
【００３７】
　したがって本発明は、前述した薄膜トランジスタの点欠陥問題を解決するための目的で提案されたものであって、２ＴＦＴと４ＴＦＴで構成された薄膜トランジスタの駆動ユニットと、これとは独立的に構成されたダミー（ｄｕｍｍｙ）駆動ユニットをさらに構成するものである。
【００３８】
　このようにすれば、駆動ユニットに欠陥が発生してもこれを代えることができるために、素子の不良処理を防ぐことができて製品の収率を改善できる。
【課題を解決するための手段】
【００３９】
　前述したような目的を達成するための本発明による有機電界発光素子は、基板上で相互に交差して画素部を定義するゲート配線及びデータ配線と；前記画素部に配置して第１スイッチング素子と第１駆動素子で構成される第１駆動ユニットにおいて、前記ゲート配線に連結したゲート端子と、前記データ配線に連結したソース端子及びドレイン端子とを含む第１スイッチング素子と、前記第１スイッチング素子のドレイン端子に連結したゲート端子と、ドレイン端子及びソース端子を含む第１駆動素子とを含む第１駆動ユニットと；前記画素部に配置して、第２スイッチング素子と第２駆動素子で構成された第２駆動ユニットにおいて、前記ゲート配線に連結したゲート端子と、前記データ配線に連結したソース端子及びドレイン端子を含む第２スイッチング素子と、前記第２スイッチング素子のドレイン端子に連結したゲート端子と、ソース端子及びドレイン端子を含む第２駆動素子とを含む第２駆動ユニットと；前記第１駆動素子のソース端子に連結した電源配線と；前記第１駆動素子と第２駆動素子のドレイン端子に連結した有機発光部を含む。
【００４０】
　前記第１駆動素子と並列連結した第１ストレージキャパシターと、前記第２駆動素子と並列に連結した第２ストレージキャパシターがさらに構成される。
【００４１】
　前記第１駆動ユニットを作動する場合には、前記第２駆動素子のソース端子と前記電源配線はオープンされた状態に構成する。
【００４２】
　前記第２駆動ユニットを作動させる場合には、前記第２駆動素子のソース端子と前記電源配線を連結して、前記第１駆動素子のドレイン端子と電源配線をオープンする。
【００４３】
　前記発光部は、陽極電極と陰極電極との間に有機発光層が構成される。
　本発明の他の特徴による有機電界発光素子は、基板上に相互に交差して画素部を定義するゲート配線及びデータ配線と；前記画素部に配置して並列に構成された第１スイッチング素子及び第２スイッチング素子と、並列に連結した第１駆動素子及び第２駆動素子で構成された第１駆動ユニットにおいて、
　前記ゲート配線に連結したゲート端子と、前記データ配線に連結したソース端子及びドレイン端子を含む第１スイッチング素子と、前記第１スイッチング素子のドレイン端子と一体化したソース端子と、前記ゲート配線に連結したゲート端子と、ドレイン端子を含む第２スイッチング素子と、前記第２スイッチング素子のドレイン端子に連結したゲート端子と、ソース端子及びドレイン端子を含む第１駆動素子と、前記第１駆動素子のゲート端子と一体化したゲート端子と、前記第１スイッチング素子及び第２スイッチング素子の一体化したソース端子及びドレイン端子に連結したドレイン端子と、ソース端子を含む第２駆動素子を含む第１駆動ユニットと；
　前記ゲート配線に連結したゲート端子と、前記データ配線に連結したソース端子と、ドレイン端子を含む第３スイッチング素子と、前記第３スイッチング素子のドレイン端子と一体化したソース端子と、前記ゲート配線に連結したゲート端子と、ドレイン端子を含む第４スイッチング素子と、前記第４スイッチング素子のドレイン端子に連結するゲート端子と、ソース端子及びドレイン端子を含む第３駆動素子と、前記第３駆動素子のゲート端子と一体化したゲート端子と、前記第３スイッチング素子及び第４スイッチング素子の一体化したドレイン端子及びソース端子に連結したドレイン端子と、ソース端子を含む第４駆動素子とを含む第２駆動ユニットと；
　前記第１駆動素子及び第２駆動素子のソース端子と第４駆動素子のソース端子に連結した電源配線と；前記第１駆動素子及び第３駆動素子のドレイン端子に連結した有機発光部とを含む。
【発明の効果】
【００４４】
　前述したような本発明による有機電界発光素子を構成すれば、スイッチング素子と駆動素子で構成された駆動ユニットに欠陥が発生すると、ダミー駆動ユニットを通じて代わりに駆動できるために、有機電界発光素子に現れる点欠陥を防止できる。したがって、製品の収率を改善する効果がある。
【実施例１】
【００４５】
　本発明の第１実施例は、２ＴＦＴ構造の駆動ユニットに、これとは独立されたダミー駆動ユニットをもう一つ構成することを特徴とする。
【００４６】
　図４は、本発明の第１実施例による有機電界発光素子の一画素を示した等価回路図である。
【００４７】
　本発明の第１実施例による有機発光素子の構成を説明するにあたって、実線処理された第１スイッチング素子ＴＳ１とこれに連結した第１駆動素子ＴＤ１を第１駆動ユニット（Ｆｉｒｓｔ　Ｄｒｉｖｉｎｇ　Ｕｎｉｔ）と定義し、点線処理された第２スイッチング素子ＴＳ２とこれに連結した第２駆動素子ＴＤ２を第２駆動ユニット（Ｓｅｃｏｎｄ　Ｄｒｉｖｉｎｇ　Ｕｎｉｔ）と定義する。
【００４８】
　前記第１駆動ユニットと第２駆動ユニットは電気的に独立するように構成する。
　まず、第１駆動ユニットの構成を説明する。
【００４９】
　図示したように、一方向に延びたゲート配線１０２と、これと垂直に交差するデータ配線１０４を構成する。
【００５０】
　第１駆動ユニットの構成において、第１スイッチング素子ＴＳ１のゲート端子１０８はゲート配線１０２に連結して、ソース端子１０７はデータ配線１０４に連結し、ドレイン端子１１０は第１駆動素子ＴＤ１のゲート端子１１２に連結する。この時、前記第１駆動素子ＴＤ１のゲート端子１１２と、ソース端子１１４に連結した電源配線１０６は第１ストレージキャパシターＣＳＴ１を構成する。
【００５１】
　前記第１駆動素子ＴＤ１のソース端子１１４は電源配線１０６と連結して、ドレイン端子１１６は発光部Ｅに連結する。
【００５２】
　したがって、前記第１スイッチング素子ＴＳ１が作動すれば、これにより前記第１駆動素子ＴＤ１が作動して、前記電源配線１０６から第１駆動素子ＴＤ１を通じて有機発光部Ｅに信号（電流成分）が印加されて前記有機発光部Ｅが発光する。
【００５３】
　以下、第２駆動ユニットの構成を説明する。
　第２駆動ユニットの構成において、第２スイッチング素子ＴＳ２のゲート端子１１８はゲート配線１０２と連結して、ソース端子１２０はデータ配線１０４と連結し、ドレイン端子１２２は第２駆動素子ＴＤ２のゲート端子１２４と連結する。
【００５４】
　第２駆動素子ＴＤ２のソース端子１２６は電源配線１０６と連結して、ドレイン端子１２８は発光部Ｅと連結する。
【００５５】
　この時、前記第２駆動素子ＴＤ２のゲート端子１２４と電源配線１０６間に第２ストレージキャパシターＣＳＴ２を構成する。
【００５６】
　前述した構成において、第２駆動ユニットはダミー的な性格を帯びるために有機発光素子が正常に作動する場合にこれを作動させてはならない。
【００５７】
　したがって、第２駆動素子ＴＤ２のソース端子１２６と電源配線１０６間の任意の連結部Ａをオープン（ｏｐｅｎ）することが必要である。
【００５８】
　この部分Ａをオープンすれば、前記第２スイッチング素子ＴＳ２を通じて第２駆動素子ＴＤ２に信号が印加されても、電源配線１０６から入力される信号がないためにこれは発光素子の作動に何らの影響を及ぼさない。
【００５９】
　反面、第１駆動ユニットに欠陥が発生した場合、前記オープンされた部分Ａを熔接して付ければ第１駆動ユニットに代わって第２駆動ユニットが作動する。
【００６０】
　すなわち、前記第２スイッチング素子ＴＳ２が作動すれば、これに連結した第２駆動素子ＴＤ２が作動して前記電源配線１０６に流れる信号が前記第２駆動素子ＴＤ２を通じて有機発光部Ｅに印加されて、印加された信号レベルに対応する光が発光する。
【００６１】
　この時には前記第１駆動ユニットの第１駆動素子ＴＤ１と電源配線１０６の連結部位Ｂをオープンしなければならない。
【００６２】
　このようにする理由は、前記第２駆動ユニットを作動させながら発光部Ｅに入力される信号の流れを円滑にしなければならないためである。
【００６３】
　すなわち、前記第２駆動ユニットを動作させている時に前記第１駆動ユニットの第１駆動素子ＴＤ１に信号が流れることができると、有機発光素子の画質が低下するという問題が発生する。
【００６４】
　したがって、第２駆動ユニットを作動する時に前記Ｂ点をオープンすれば、画質状態が変わることを防止できる。
【００６５】
　以上、本発明の第１実施例による有機電界発光素子の構成を説明した。
　以下、第２実施例を通じて４ＴＦＴ構造を有する有機電界発光素子の構成を説明する。
【実施例２】
【００６６】
　本発明の第２実施例は、４ＴＦＴの駆動ユニットを有する有機発光素子にダミー駆動ユニットをさらに構成することを特徴とする。
【００６７】
　図５は、本発明の第２実施例による有機電界発光素子の一画素に対する等価回路図である。
【００６８】
　図示したように、基板２００上に一方向に延びたゲート配線２０２とこれとは垂直に交差するデータ配線２０４を構成する。
【００６９】
　前記データ配線２０４とゲート配線２０２が交差して定義される領域には、並列に構成された第１スイッチング素子ＴＳ１及び第２スイッチング素子ＴＳ２とこれに連結して並列に構成された第１駆動素子ＴＤ１及び第２駆動素子ＴＤ２とで構成された第１駆動ユニット（実線処理）と、並列に構成された第３スイッチング素子ＴＳ３及び第４スイッチング素子ＴＳ４とこれに連結して並列に連結した第３駆動素子ＴＤ３及び第４駆動素子ＴＤ４とで構成された第２駆動ユニット（点線処理）とを構成する。前記スイッチング素子と駆動素子でゲート端子及びソース端子とドレイン端子とで構成された薄膜トランジスタを用いる。
【００７０】
　この時、前記第１駆動ユニットと第２駆動ユニットは電気的に独立するように構成する。
【００７１】
　まず、第１駆動ユニット（実線）の構成を説明する。
　第１駆動ユニットは、並列に連結されていて、それぞれのゲート端子２０７、２１４がゲート配線２０２に連結された第１スイッチング素子ＴＳ１及び第２スイッチング素子ＴＳ２と、前記各スイッチング素子（ＴＳ１、ＴＳ２）と連結した第１駆動素子ＴＤ１及び第２駆動素子ＴＤ２とで構成する。
【００７２】
　前記第１スイッチング素子ＴＳ１のソース端子２１０は、データ配線２０４と連結し、ドレイン端子２１２は前記第２スイッチング素子ＴＳ２のソース端子２１６と一体に連結して構成する。
【００７３】
　前記第１駆動素子ＴＤ１及び第２駆動素子ＴＤ２のゲート端子２２０、２２１は一体に構成されており、このようなゲート端子２２０、２２１と前記第２スイッチング素子ＴＳ２のドレイン端子２１８を連結して構成する。
【００７４】
　前記第２駆動素子ＴＤ２のドレイン端子２２４は、前記第１スイッチング素子ＴＳ１及び第２スイッチング素子ＴＳ２の一体化されたドレイン端子２１２及びソース端子２１６と連結して、第１駆動素子ＴＤ１及び第２駆動素子ＴＤ２のソース端子２２２、２２６は同時に電源配線２０６と連結する。
【００７５】
　また、前記第１駆動素子ＴＤ１のドレイン端子２２８は、発光部Ｅと連結されて信号を印加する。
【００７６】
　この時、前記第１駆動素子ＴＤ１及び第２駆動素子ＴＤ２の一体化したゲート端子２２０、２２１とそれぞれのドレイン端子２２２、２２６間に第１ストレージキャパシターＣＳＴ１を構成する。
【００７７】
　前述したように構成された第１駆動ユニットでは、前記第１スイッチング素子ＴＳ１及び第２スイッチング素子ＴＳ２が作動して、前記電源配線２０６から第１駆動素子ＴＤ１を通じて有機発光部Ｅに信号が印加される。
【００７８】
　したがって、前記印加された信号レベルに対応して光が発光する。
　以下、第２駆動ユニット（点線処理）の構成を説明する。
　第２駆動ユニットは、並列に連結されていて、それぞれのゲート端子２３０、２４２がゲート配線２０２に連結した第３スイッチング素子ＴＳ３及び第４スイッチング素子ＴＳ４と、前記それぞれのスイッチング素子ＴＳ３、ＴＳ４と連結した第３駆動素子ＴＤ３及び第４駆動素子ＴＤ４を構成する。
【００７９】
　前記第３スイッチング素子ＴＳ３のソース端子２３２は、データ配線２０４と連結し、ドレイン端子２３４は前記第４スイッチング素子ＴＳ４のソース端子２４４と一体に連結して構成する。
【００８０】
　前記第３駆動素子ＴＤ３及び第４駆動素子ＴＤ４のゲート端子２３６、２３７は、一体に構成されており、このようなゲート端子２３６、２３７と前記第４スイッチング素子ＴＳ４のドレイン端子２４６を連結して構成する。
【００８１】
　前記第４駆動素子ＴＤ４のドレイン端子２４０は、前記第３スイッチング素子ＴＳ３及び第４スイッチング素子ＴＳ４の一体化したドレイン端子２３４及びソース端子２４４と連結して、第３駆動素子ＴＤ３及び第４駆動素子ＴＤ４のソース端子２３８、２４８は同時に電源配線２０６と連結する。
【００８２】
　また、前記第３駆動素子ＴＤ３のドレイン端子２５０は発光部Ｅと連結して構成する。
【００８３】
　この時、前記第３駆動素子ＴＤ３及び第４駆動素子ＴＤ４の一体化したゲート端子２３６、２３７とそれぞれのソース端子２３８、２４８間に第２ストレージキャパシターＣＳＴ２を構成する。
【００８４】
　前述した構成において、前記第２駆動ユニットでは、第１駆動ユニットに代わるダミー駆動ユニット（Ｄｕｍｍｙ　Ｄｒｉｖｉｎｇ　Ｕｎｉｔ）であるために、有機発光素子が正常に作動する場合にこれを作動させてはならない。
【００８５】
　したがって、前記第３駆動素子ＴＤ３のソース端子２３８と電源配線２０６の任意の連結部位Ｃをオープンさせなければならなく、第３スイッチング素子ＴＳ３とデータ配線２０４の任意の連結部位Ｄをもオープンさせなければならない。
【００８６】
　もしも、第１駆動ユニットに欠陥が発生した場合には、前記オープンされた二点Ｃ、Ｄを熔接して信号を受けるようにし、反面、第１駆動ユニットに含まれる第１スイッチング素子ＴＳ１のソース端子２１０とデータ配線２０４の任意の連結部位Ｆをオープンさせなければならない。
【００８７】
　このような構成で、前記第２駆動ユニットの第３スイッチング素子ＴＳ３及び第４スイッチング素子ＴＳ４が作動すれば、これに連結した第３駆動素子ＴＤ３及び第４駆動素子ＴＤ４が作動して、前記電源配線２０６から第３駆動素子ＴＤ３を通じて有機発光部Ｅに信号が印加される。
【００８８】
　したがって、印加された信号レベルに対応して有機発光部から発光現象が起る。
　このように構成すれば画質の状態が一定に維持される。
【００８９】
　前述した構成において、前記スイッチング素子または駆動素子は、Ｐ型またはＮ型薄膜トランジスタを用いることができ、Ｐ型薄膜トランジスタの場合には、前記電源配線２０６と連結する部分がドレイン端子になり、前記有機発光部に連結する部分がソース端子となる。
【００９０】
　以上、前述したような第１実施例と第２実施例を通じてダミー駆動ユニットを含む有機電界発光素子を製作できる。
【００９１】
　このような構成は、アクティブマトリクス型有機電界発光素子にすべて適用でき、望ましくは下部発光式より上部発光式に応用すれば良い。
【００９２】
　なぜなら、上部発光式は下部薄膜トランジスタアレイ部の面積が開口率に影響を及ぼさないためにデザインするのが容易だからである。
【００９３】
　このような上部発光式有機電界発光素子の一例として、デュアルプレート構造を有した有機電界発光素子（Ｄｕａｌ　ｐｌａｔｅ　ＬＥＤ：ＤＰＯＬＥＤ）を挙げることができる。
【００９４】
　理解を助けるために、以下図６を参照してＤＰＯＬＥＤの構成を概略的に説明する。
　本発明による有機電界発光素子３００は、透明な第１基板４００と第２基板５００をシーラント（ｓｅａｌａｎｔ）６００を通じて合着して構成する。
【００９５】
　前記第１基板４００の上部には複数の画素部（発光部）Ｐが定義されていて、各画素部Ｐの一側ごとに薄膜トランジスタ（スイッチング素子と駆動素子）Ｔとアレイ配線（図示せず）が構成される。
【００９６】
　前記第２基板５００の全面に、透明なホール注入電極である第１電極５０２を構成する。
　前記第１電極５０２の上部には有機発光層５０８と、第２電極５１０を順に構成する。
【００９７】
　前記第２電極５１０と駆動素子Ｔは、別途の第１連結電極４３０を通じて間接的に連結される。すなわち、前記第１連結電極４３０を第１基板４００に構成して第１基板４００及び第２基板５００を合着すれば、第１連結電極４３０が発光層５０８の上部に構成された電子注入電極である第２電極５１０と接触される。
【００９８】
　前述した構成において、前記発光層５０８は、断層または多層で構成でき、多層で構成する場合には、前記第１電極５０２と近接してホール輸送層５０８ａをさらに構成して、前記第２電極５１０と近接して電子輸送層５０８ｃをさらに構成する。
　前述したような二重プレート構造の薄膜トランジスタアレイ部に、先に説明した第１実施例と第２実施例を適用できる。
【図面の簡単な説明】
【００９９】
【図１】アクティブマトリクス型有機電界発光素子を概略的に示した断面図である。
【図２】従来の第１例による有機電界発光素子の一画素を示す等価回路図である。
【図３】従来の第２例による有機電界発光素子の一画素を示す等価回路図である。
【図４】本発明の第１実施例による有機電界発光素子の一画素を示す等価回路図である。
【図５】本発明の第２実施例による有機電界発光素子の一画素を示す等価回路図である。
【図６】デュアルプレート構造で製作されたアクティブマトリクス型有機電界発光素子の構成を概略的に示した断面図である。
【符号の説明】
【０１００】
　１００：基板
　１０２：ゲート配線
　１０４：データ配線
　１０６：電源配線
　１０７：ＴＳ１のソース端子
　１０８：ＴＳ１のゲート端子
　１１０：ＴＳ１のドレイン端子
　１１２：ＴＤ１のゲート端子
　１１４：ＴＤ１のソース端子
　１１６：ＴＤ１のドレイン端子
　１１８：ＴＳ２のゲート端子
　１２０：ＴＳ２のソース端子
　１２２：ＴＳ２のドレイン端子
　１２４：ＴＤ２のゲート端子
　１２６：ＴＤ２のソース端子
　１２８：ＴＤ２のドレイン端子
【図１】
2004038188.tif 000003
【図２】
2004038188.tif 000004
【図３】
2004038188.tif 000005
【図４】
2004038188.tif 000006
【図５】
2004038188.tif 000007
【図６】
2004038188.tif 000008